(57)【要約】【課題】車両のエンジン出力を自動測定することで、マッピング工数を短縮し、給排気系等の仕様決定に伴う最適化作業の効率化ことができるエンジン測定装置を提供する。【解決手段】２輪車両２のエンジン出力を測定するエンジン測定装置１において、エンジンのエンジン回転数と、吸気管内圧と、スロットル開度とを複数のマップに記録する。【選択図】  図３
2004346907.tif 000002
【特許請求の範囲】
【請求項１】
車両のエンジン出力等を測定するエンジン測定装置において、
前記エンジンのエンジン回転数と、吸気管内圧と、スロットル開度とを複数のマップに記録する
ことを特徴とするエンジン測定装置。
【請求項２】
前記エンジンは、複数の気筒を有する多気筒型エンジンであって、
各気筒毎に、前記エンジン回転数と、前記吸気管内圧と、前記スロットル開度とを複数のマップに記録する
ことを特徴とする請求項１に記載のエンジン測定装置。
【発明の詳細な説明】
【０００１】
【発明の属する技術分野】
本発明は、車両のエンジン出力を自動測定するエンジン測定装置に関し、特に２輪車両用オートマッピングシステムに関する。
【０００２】
【従来の技術】
従来、４輪車両等における空燃比制御において、燃料噴射量（Ｔｉ）は、吸気管内圧／エンジン回転数マップに基づいて決定されている（特許文献１を参照）。
この吸気管内圧／エンジン回転数マップは、特定の給排気系において最適化されるものであり、給排気系が交換された場合、再度最適化作業が必要となる。
このため、この給排気系交換などに伴う最適化作業を効率化・高速化するために、以下のようなオートマッピング方式が採用されている。
すなわち、まずベースとなる基本燃料噴射量のマップ（以下、ベースマップという）を決定し、給排気系交換時には、このベースマップとは別に、測定値に基づく補正項のみを記録するマップ（以下，補正マップという）を作成する。そして、このベースマップと補正マップによって、給排気系交換後の新燃料噴射量マップを作成する。
このようなオートマッピング方式を採用することにより、マッピング工数時間の大幅な短縮が可能となる。
【０００３】
【特許文献１】
特開２０００−９７１０１号公報
【０００４】
【発明が解決しようとする課題】
ところが、近年、２輪車両においては、各ギアポジションごとに微妙に異なるエンジン特性をフラットに制御することで、どのギアポジションからでも違和感のない加速を実現し、かつ、燃焼効率の最適化を図るために、４輪車両とは異なる空燃比制御を行っている。
【０００５】
従来のオートマッピング方式による補正制御では、ストイキマップ（空燃比マップ）のみしか作成することが出来ないという問題点がある。
また、従来のオートマッピング方式においては，ダイナモデータロガーに測定データを一旦ストックしておくため、ダイナモデータロガーの記憶容量等の設備に大きな制約がある。このため、様々なデータの測定を実施するためには、特殊なデータロガーが必要となり、コストアップにつながるという問題点がある。
【０００６】
本発明は、このような事情を考慮してなされたものであり、その目的は、車両のエンジン出力を自動測定することで、マッピング工数を短縮し、給排気系等の仕様決定に伴う最適化作業の効率化ことができるエンジン測定装置を提供することにある。
【０００７】
【課題を解決するための手段】
この発明は上記の課題を解決すべくなされたもので、請求項１に記載の発明は、車両（例えば、実施の形態における２輪車両２）のエンジン出力を測定するエンジン測定装置（例えば、実施の形態におけるエンジン測定装置１）において、前記エンジンのエンジン回転数、吸気管内圧、スロットル開度とを複数のマップに記録することを特徴とする。
【０００８】
このように構成することで、車両のエンジン出力の自動測定において、２輪車両特有の吸気管内圧／エンジン回転数マップ、スロットル開度／エンジン回転数マップを作成することができる。
【０００９】
また、請求項２に記載の発明は、前記エンジンは、複数の気筒を有する多気筒型エンジンであって、各気筒毎に、前記エンジン回転数と、前記吸気管内圧と、前記スロットル開度とを複数のマップに記録することを特徴とする。
【００１０】
このように構成することで、複数の気筒を有する多気筒型エンジンにおいて、各気筒毎に、車両のエンジン出力の自動測定において、２輪車両特有の吸気管内圧／エンジン回転数マップ、スロットル開度／エンジン回転数マップを作成することができる。
【００１１】
【発明の実施の形態】
以下、図面を参照して、本発明のエンジン測定装置１の一実施形態について説明する。図１は、本実施形態のエンジン測定装置１の構成を示す構成図である。
本実施形態のエンジン測定装置１は、シャーシダイナモ１１及びＥＣＵ（エンジン制御装置）データ計測器１２と直接接続するデータ入力インターフェイスを備えており、図２に示すように、シャーシダイナモ１１及びＥＣＵデータ計測器１２の各種計測データを記録する（後述する）。
シャーシダイナモ１１は、測定対象車両（本実施形態においては、２輪車両２）の車輪（図１に示す例では後輪）と接触するローターを有しており、ローターとの間で発生する摩擦力によって、車輪とローターが連動して回転することによって、車輪出力を測定し、エンジン測定装置１に出力する。
ＥＣＵデータ計測器１２は、測定対象車両において設けられたＥＣＵ２０から出力される吸気管内圧（ＰＢ）、スロットル開度（ＴＨ）、エンジン回転数（ＮＥ）、燃料噴射量（Ｔｉ）、及び、Ａ／Ｆ（空燃比）センサ２１から増幅器１３を介して出力されるＡ／Ｆ（空燃比）値の入力を受けて、エンジン測定装置１に出力するためのデータ入出力インターフェイスである。
【００１２】
図２に示すように、ＥＣＵ２０は、複数の気筒（本実施形態においては４気筒）を有する多気筒型エンジン２２の吸気管内圧センサ３０、スロットル開度センサ３１、エンジン回転数センサ３２において、各気筒毎に測定されるセンサ出力値の入力を受けて、Ａ／Ｄ変換して吸気管内圧（ＰＢ）、スロットル開度（ＴＨ）、エンジン回転数（ＮＥ）を得るとともに、予めＥＣＵ２０内の記憶部に格納された燃料噴射量の吸気管内圧／エンジン回転数マップ、スロットル開度／エンジン回転数マップに基づいて燃料噴射量を算出する。そして、上述したように、吸気管内圧（ＰＢ）、スロットル開度（ＴＨ）、エンジン回転数（ＮＥ）及び燃料噴射量（Ｔｉ）をＥＣＵデータ計測器１２に出力する。
【００１３】
吸気管内圧センサ３０は、測定対象車両のエンジン２２（図示せず）の吸気管を開閉するスロットルバルブ（図示せず）より下流側（エンジン側）に設けられ、当該吸気管内の圧力を測定し、ＥＣＵ２０に出力する。また、スロットル開度センサ３１は、測定対象車両のエンジン２２のスロットルバルブにおけるスロットル開度を測定し、ＥＣＵ２０に出力する。また、エンジン回転数センサ３２は、測定対象車両のエンジンに設けられ、エンジン回転数を測定し、ＥＣＵ２０に出力する。また、Ａ／Ｆセンサ２１は、上述したスロットルバルブより下流側に設けられ、空燃比を測定し、増幅器１３に出力する。増幅器１３は、入力される空燃比の測定値を増幅してＥＣＵ２０に出力する。
【００１４】
次に、図面を参照して、本実施形態のエンジン測定装置の動作について説明する。図３は、本実施形態のエンジン測定装置によるオートマッピング処理の過程を示すフローチャートである。
今、給排気系等の仕様を決定するために、給排気系の交換毎にマッピングを繰り返す作業において、まず特定の給排気系と対応する１組の燃料噴射量の吸気管内圧／エンジン回転数マップ、スロットル開度／エンジン回転数マップをベースマップに設定する。
図４は、一例として、スロットル開度／エンジン回転数のベースマップを示す。
図４に示すように、ベースマップとなるスロットル開度／エンジン回転数マップには、予めスロットル開度（ＴＨ）とエンジン回転数（ＮＥ）との各格子点における基本燃料噴射量の値がマッピングされる。なお、ベースマップとなる吸気管内圧／エンジン回転数マップについても、同様に、予め吸気管内圧（ＰＢ）とエンジン回転数（ＮＥ）との各格子点における基本燃料噴射量の値がマッピングされる。
【００１５】
次に、このベースマップに対する補正値をマッピングした補正マップと、ベースマップと補正マップから作成される新燃料噴射量マップとを作成する場合、エンジン測定装置１は、スロットル開度（ＴＨ）が予め設定された閾値より低い領域においては（図３のステップＳ１でＹｅｓ）、吸気管内圧／エンジン回転数の基本燃料噴射量マップをベースマップとし（ステップＳ２）、当該吸気管内圧／エンジン回転数の格子点における基本燃料噴射量に対する補正値をＥＣＵデータ計測器１２から入力される燃料噴射量Ｔｉに基づいて測定する（ステップＳ３）。このときエンジン測定装置１は、同時に空燃比、後輪出力の測定を行う。
なお、基本燃料噴射量に対する補正値は、基本燃料噴射量に対する燃料噴射量Ｔｉの比として表される。
次に、エンジン測定装置１は、測定した補正値を当該吸気管内圧／エンジン回転数の補正マップに書き込み（ステップＳ４）、ベースマップの基本燃料噴射量と測定した補正値とを乗算して当該吸気管内圧／エンジン回転数の新燃料噴射量マップにマッピングする（ステップＳ５）。また、このときエンジン測定装置１は、同時に空燃比（Ａ／Ｆ）／エンジン回転数（ＮＥ）マップ、後輪出力／エンジン回転数（ＮＥ）マップに測定した空燃比値、後輪出力値をマッピングする。
【００１６】
一方、スロットル開度（ＴＨ）が予め設定された閾値より高い領域においては（ステップＳ１でＮｏ）、エンジン測定装置１は、スロットル開度／エンジン回転数の基本燃料噴射量マップをベースマップとし（ステップＳ２）、当該スロットル開度／エンジン回転数の格子点における基本燃料噴射量に対する補正値を測定する（ステップＳ３）。
そして、エンジン測定装置１は、測定した補正値を当該スロットル開度／エンジン回転数の補正マップに書き込み（ステップＳ４）、ベースマップの基本燃料噴射量と測定した補正値とを乗算して当該スロットル開度／エンジン回転数の新燃料噴射量マップにマッピングする（ステップＳ５）。また、このときエンジン測定装置１は、同時に空燃比（Ａ／Ｆ）／エンジン回転数（ＮＥ）マップ、後輪出力／エンジン回転数（ＮＥ）マップに測定した空燃比値、後輪出力値をマッピングする。
【００１７】
具体例として、今、スロットル開度（ＴＨ）が予め設定された閾値より高い場合、エンジン測定装置１は、スロットル開度／エンジン回転数の基本燃料噴射量マップをベースマップとする。このベースマップ（図４を参照）において、エンジン測定装置１は、格子点ＴＨ４／ＮＥ２にマッピングされている基本燃料噴射量２．３３６に対する補正量をＥＣＵデータ計測器１２から入力される燃料噴射量Ｔｉに基づいて測定する。
そして、図５に示すように、エンジン測定装置１は、測定結果に基づいて基本燃料噴射量に対する補正値０．９８を、補正マップの格子点ＴＨ４／ＮＥ２にマッピングし、基本燃料噴射量（２．３３６）と補正値（０．９８）とを乗算した値（２．２８９）を新燃料噴射量マップの格子点ＴＨ４／ＮＥ２にマッピングする。
【００１８】
以上により、エンジン測定装置１は、１の格子点における補正マップ、新新燃料噴射量マップのそれぞれ値をマッピングする。そして、第１気筒におけるマッピング処理が完了するまで（ステップＳ６でＮｏ）、エンジン測定装置１は、ステップＳ１〜Ｓ７のマッピング処理のルーチンを繰り返し実行する。
【００１９】
第１気筒におけるマッピング処理が完了すると（ステップＳ６でＹｅｓ）、エンジン測定装置１は、第１気筒の吸気管内圧／エンジン回転数マップ、スロットル開度／エンジン回転数マップそれぞれの補正マップをそれぞれベースマップとして、４点補完マッピングにより、第２〜第４気筒の新燃料噴射量マップを作成する。
具体的には、第２〜第４気筒の基本燃料噴射量をベースマップとして、すべての格子点について、第１気筒の吸気管内圧／エンジン回転数マップ、スロットル開度／エンジン回転数マップそれぞれの補正マップを用いて、第２〜第４気筒の基本燃料噴射量と補正値とを乗算した値を第２〜第４気筒の新燃料噴射量マップにマッピングする。
【００２０】
以上により、エンジン測定装置１は、第２〜第４気筒の新燃料噴射量マップを作成し、交換後の給排気系と対応する１組の燃料噴射量の吸気管内圧／エンジン回転数マップ、スロットル開度／エンジン回転数マップが得られる。
このため、例えば、不等間隔爆発型のエンジンにおいても、同時に全気筒の新燃料噴射量マップを作成することができる。
したがって、このようにして作成した吸気管内圧／エンジン回転数マップと、スロットル開度／エンジン回転数マップとを併用することで燃料噴射量（Ｔｉ）を決定することができる。
したがって、給排気系等の交換前後におけるエンジン特性の変化に基づいて、給排気系等の仕様を決定することができるとともに、このような仕様決定に伴う給排気系の交換毎のマッピング作業を効率化することが出来る効果が得られる。
【００２１】
なお、給排気系等の交換前後におけるマッピング作業の必要に応じて、エンジン測定装置１は、スロットル開度（ＴＨ）の全開／全閉を検出するようにし、スロットル開度が全開、あるいは、全閉である場合のみＥＣＵデータ計測器から測定データを入力するようにしてもよい。
【００２２】
また、上述した実施形態においては、完成車ベースでのマッピング作業の例を示したが、本発明はこれに限られるものではなく、例えば、エンジン単体でマッピング作業を行うようにしてもよい。この場合、テスト準備工数等を考慮すれば、エンジン単体でマッピングを行う方がより効率化を図ることが出来るとともに、設定項目の削減を図ることが出来る効果が得られる。
【００２３】
【発明の効果】
以上説明したように、請求項１に記載の発明は、車両のエンジン出力の自動測定において、２輪車両特有の吸気管内圧／エンジン回転数マップ、スロットル開度／エンジン回転数マップを作成することができるため、マッピング工数を短縮し、給排気系等の仕様決定に伴う最適化作業を効率化することができる。
【００２４】
また、請求項２に記載の発明は、複数の気筒を有する多気筒型エンジンにおいて、各気筒毎に、車両のエンジン出力の自動測定において、２輪車両特有の吸気管内圧／エンジン回転数マップ、スロットル開度／エンジン回転数マップを作成することができるため、マッピング工数が多い複数の気筒を有する多気筒型エンジンにおいても、マッピング工数を短縮し、給排気系等の仕様決定に伴う最適化作業を効率化することができる。
【図面の簡単な説明】
【図１】主としてエンジン測定装置構成図。
【図２】主としてエンジン測定装置への信号線図。
【図３】オートマッピング処理の過程を示すフローチャート。
【図４】スロットル開度／エンジン回転数の燃料噴射量ベースマップ。
【図５】スロットル開度／エンジン回転数の燃料噴射量補正マップ。
【図６】スロットル開度／エンジン回転数の新燃料噴射量マップ。
【符号の説明】
１…エンジン測定装置
【図１】
2004346907.tif 000003
【図２】
2004346907.tif 000004
【図３】
2004346907.tif 000005
【図４】
2004346907.tif 000006
【図５】
2004346907.tif 000007
【図６】
2004346907.tif 000008